【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
外科用コンソールを含む、コンソールベースのシステムであって、
前記外科用コンソールは、
複数の器具ポートであって、前記器具ポートの各々は器具視覚インジケータを有し、ハンドヘルド外科用器具に接続され、該ハンドヘルド外科用器具に通電信号を送信するように構成される、複数の器具ポートと、
フットスイッチ視覚インジケータを有しており、フットスイッチに接続して該フットスイッチから信号を受信するように構成されたフットスイッチポートであって、前記フットスイッチ視覚インジケータ及び前記器具視覚インジケータの各々は光放出器を備え、該光放出器の各々及びリング状光導波路は、前記外科用コンソールに結合され、前記フットスイッチポート及び前記複数の器具ポートのうちの対応するものを取り囲む、フットスイッチポートと、
コントローラであって、
前記フットスイッチポートを前記複数の器具ポートの器具ポートと関連付けて、前記フットスイッチポートに接続されたフットスイッチが、関連付けられた前記器具ポートに接続されたハンドヘルド外科用器具の機能を起動するように動作可能にし、
前記フットスイッチ視覚インジケータの前記光放出器を起動して有色光を放出し、
前記コントローラが前記フットスイッチポートを前記関連付けられた器具ポートに関連付けると、前記関連付けられた器具ポートの前記器具視覚インジケータの前記光放出器を起動し、前記フットスイッチ視覚インジケータの前記光放出器によって放出される前記有色光と一致する有色光を放出するように構成された、コントローラと
を含んでなる、コンソールベースのシステム。
【請求項２】
前記コントローラは、
前記フットスイッチポートに接続されたフットスイッチから信号を受信し、
前記フットスイッチポートに接続されたフットスイッチが、前記関連付けられた器具ポートに接続されたハンドヘルド外科用器具の機能を作動するように動作可能であるように、前記フットスイッチからの信号の受信に応答し、前記フットスイッチポートを前記関連付けられた器具ポートに関連付けることに応答して、前記関連付けられた器具ポートに接続されたハンドヘルド外科用器具に送信する通電信号を生成する、請求項１に記載のコンソールベースのシステム。
【請求項３】
前記コントローラは、前記フットスイッチポートに関連付けられていない前記複数の器具ポートの器具ポートの器具視覚インジケータの前記光放出器を起動し、前記器具ポートが前記フットスイッチポートに関連付けられていないことを示す白色光を放出するように構成される、請求項１または２に記載のコンソールベースのシステム。
【請求項４】
前記外科用コンソールに結合された前記リング状光導波路の少なくとも１つは、対応する前記フットスイッチポートの反対側に、第１の弓形の光放出器部分と第２の弓形の光放出器部分とを含み、前記第１の弓形の光放出器部分の内部に第１の発放出器が配置され、前記第２の弓形の光放出器部分の内部に第２の光放出器が配置され、前記第１の光放出器は第１の色の有色光を放出するように構成され、前記第２の光放出器は第２の色の有色光を放出するように構成される、請求項１〜３のいずれか一項に記載のコンソールベースのシステム。
【請求項５】
前記第１の弓形の光放出器と前記第２の弓形の光放出器とのうちの少なくとも１つは、１８０度に角度のある状態で延在する、請求項４に記載のコンソールベースのシステム。
【請求項６】
前記フットスイッチポートは第１のフットスイッチポートとしてさらに定義され、前記フットスイッチ視覚インジケータは第１のフットスイッチ視覚インジケータとしてさらに定義され、前記関連付けられた器具ポートは第１の器具ポートとしてさらに定義され、前記外科用コンソールは、第２のフットスイッチ視覚インジケータを有する第２のフットスイッチポートを含み、前記コントローラは、前記第２のフットスイッチポートを、前記複数の器具ポートの第２の器具ポートと関連付けるようにさらに構成されており、前記第２の器具ポートは第２の器具視覚インジケータを有し、前記第２のフットスイッチポートに接続されたフットスイッチは、前記第２の器具ポートに接続されたハンドヘルド外科用器具の機能を作動させるように動作可能であり、
前記コントローラは、前記第２のフットスイッチポートの前記第２のフットスイッチ視覚インジケータと前記第２の器具視覚インジケータとを起動して、互いに対応する出力を表示するようにさらに構成されており、
前記第２のフットスイッチ視覚インジケータは、前記外科用コンソールに結合され、前記第２のフットスイッチポートを取り囲む、光放出器及びリング状光導波路を含むものである、請求項１〜５のいずれか一項に記載のコンソールベースのシステム。
【請求項７】
前記第１の器具ポートの前記リング状光導波路は、第１の光放出器部分及び第２の光放出器部分を含み、前記第１の光放出器部分及び前記第２の光放出器部分の各々は、有色光を放出するように構成されており、
前記コントローラは、前記第１のフットスイッチポート及び前記第２のフットスイッチポートの両方を前記第１の器具ポートに関連付けるようにさらに構成されており、
前記コントローラは、前記第１のフットスイッチポートの前記第１のフットスイッチ視覚インジケータと前記第１の光放出器部分とを作動して互いに対応する出力を表示するようにさらに構成され、前記第２のフットスイッチポートの前記第２のフットスイッチ視覚インジケータと前記第２の光放出器部分とを作動して、互いに対応する出力を表示するようにさらに構成されている、請求項６に記載のコンソールベースのシステム。
【請求項８】
前記第１のフットスイッチポートに接続されたフットスイッチが、前記第１の器具ポートに接続されたハンドヘルド外科用器具の機能を作動するように動作可能であるように、前記コントローラが前記第１のフットスイッチポートを前記第１の器具ポートに関連付けるとき、前記コントローラは、前記第１の光放出器部分を作動して、前記第１のフットスイッチ視覚インジケータによって放出される有色光と一致する有色光を放出するようにさらに構成され、
前記第２のフットスイッチポートに接続されたフットスイッチが、前記第１の器具ポートに接続されたハンドヘルド外科用器具の機能を作動するように動作可能であるように、前記コントローラが前記第２のフットスイッチポートを前記第１の器具ポートに関連付けるとき、前記コントローラは、前記第２の光放出器部分を作動して、前記第２のフットスイッチ視覚インジケータによって放出される有色光と一致する有色光を放出するようにさらに構成されている、請求項７に記載のコンソールベースのシステム。
【請求項９】
前記第１の光放出器部分は第１の色の前記有色光を放出するように構成され、前記第２の光放出器部分は第２の色の前記有色光を放出するように構成され、前記第１の色は前記第２の色とは異なるものである、請求項８に記載のコンソールベースのシステム。
【請求項１０】
前記外科用コンソールは、
第１の器具視覚インジケータを有する前記複数の器具ポートの第１の器具ポートと、
第２の器具視覚インジケータを有する前記複数の器具ポートの第２の器具ポートと、
第３の器具視覚インジケータを有する前記複数の器具ポートの第３の器具ポートと
をさらに含み、
前記第１の器具視覚インジケータと前記第２の器具視覚インジケータと前記第３の器具視覚インジケータの各々は、光放出器及びリング状光導波路を備えており、
前記コントローラは、前記第１のフットスイッチポートと前記第２のフットスイッチポートとの少なくとも１つを、前記第１の器具ポートと前記第２の器具ポートと前記第３の器具ポートとの少なくとも１つと関連付けるようにさらに構成され、前記第１のフットスイッチポート及び前記第２のフットスイッチポートのうちの少なくとも１つは、前記第１の器具ポートと前記第２の器具ポートと前記第３の器具ポートとの少なくとも１つに接続された前記ハンドヘルド外科用器具の前記機能を作動させるように動作可能であり、
前記コントローラは、前記第１のフットスイッチ視覚インジケータと、前記第２のフットスイッチ視覚インジケータと、前記第１の器具視覚インジケータと、前記第２の器具視覚インジケータと、前記第３の器具視覚インジケータとを起動して、互いに対応する出力を表示するようにさらに構成される、請求項６に記載のコンソールベースのシステム。
【請求項１１】
前記第２のフットスイッチ視覚インジケータと前記第１の器具視覚インジケータと前記第２の器具視覚インジケータと前記第３の器具視覚インジケータとが、互いに符合する出力を表示するとき、前記第１のフットスイッチ視覚インジケータと前記第２のフットスイッチ視覚インジケータと前記第１の器具視覚インジケータと前記第２の器具視覚インジケータと前記第３の器具視覚インジケータとの前記光放出器は、前記第１のフットスイッチ視覚インジケータが互いに一致する色を放出するように構成されている、請求項１０に記載のコンソールベースのシステム。
【請求項１２】
前記光放出器のうちの少なくとも１つは、複数の色を放出するように構成されたマルチカラー光放出器である、請求項１〜１１のいずれか一項に記載のコンソールベースのシステム。
【請求項１３】
前記関連付けられた器具ポートの前記器具視覚インジケータの前記光放出器は第１の光放出器としてさらに定義され、前記関連付けられた器具ポートの前記器具視覚インジケータは第２の光放出器を含み、前記第１の光放出器は第１の色の有色光を放出するように構成され、前記第２の光放出器は第２の色の有色光を放出するように構成される、請求項１〜１２のいずれか一項に記載のコンソールベースのシステム。
【請求項１４】
前記フットスイッチ視覚インジケータ及び前記器具視覚インジケータの前記光放出器の少なくとも１つは、対応する前記リング状光導波路の内部に配置される、請求項１〜１３のいずれか一項に記載のコンソールベースのシステム。
【請求項１５】
ユーザ出力信号を出力して、前記コントローラが前記関連付けられた器具ポートに前記フットスイッチポートを関連付けられるようにユーザによって作動可能であり、前記コントローラに結合されたユーザ入力デバイスをさらに備える、請求項１〜１４のいずれか一項に記載のコンソールベースのシステム。
【請求項１６】
コネクタラインを有するフットスイッチをさらに含み、前記第１のフットスイッチポートは前記コネクタラインを介して前記フットスイッチに接続され、前記フットスイッチは第３のフットスイッチ視覚インジケータを含み、前記コントローラは、前記フットスイッチの前記第３のフットスイッチ視覚インジケータと前記第１の器具ポートの前記器具視覚インジケータとを起動して、互いに対応する出力を表示するように構成される、請求項６に記載のコンソールベースのシステム。
【請求項１７】
前記第２のコネクタラインを有する前記第２のフットスイッチをさらに備え、前記第２のフットスイッチポートは前記第２のコネクタラインを介して前記第２のフットスイッチに接続され、前記第２のフットスイッチは第４のフットスイッチ視覚インジケータを含み、前記コントローラは、前記第２のフットスイッチの前記第４のフットスイッチ視覚インジケータと前記第２の計器ポートの前記第２の計器視覚インジケータとを起動して、互いに対応する出力を表示するように構成される、請求項１６に記載のコンソールベースのシステム。
【請求項１８】
コンソールベースの外科システムであって、
その各々がコネクタラインを有する、複数のハンドヘルド外科用器具と、
コネクタラインを有し、第１のフットスイッチ視覚インジケータを備える第１のフットスイッチと、
コネクタラインを有し、第２のフットスイッチ視覚インジケータを備える第２のフットスイッチであって、前記第１のフットスイッチ視覚インジケータ及び前記第２のフットスイッチ視覚インジケータの各々は光放出器を含んでいる、第２のフットスイッチと、
外科用コンソールであって、前記複数のハンドヘルド外科用器具の前記コネクタラインに接続されている複数の器具ポートと、前記第１のフットスイッチの前記コネクタラインに接続されている第１のフットスイッチポートと、前記第２のフットスイッチの前記コネクタラインに接続されている第２のフットスイッチポートとを備える、外科用コンソールと、
前記第１のフットスイッチポートに隣接する前記外科用コンソールの一部に結合された第３のフットスイッチ視覚インジケータと、
前記第２のフットスイッチポートに隣接する前記外科用コンソールの一部に結合された第４のフットスイッチ視覚インジケータと、
前記複数の器具ポートの第１の器具ポートに隣接する前記外科用コンソールに結合された第１の器具視覚インジケータと、
前記複数の器具ポートの第２の器具ポートに隣接する前記外科用コンソールに結合された第２の器具視覚インジケータと、
前記複数の器具ポートの第３の器具ポートに隣接する前記外科用コンソールに結合された第３の器具視覚インジケータであって、前記第３のフットスイッチ視覚インジケータと前記第４のフットスイッチ視覚インジケータと前記第１の器具視覚インジケータと前記第２の器具視覚インジケータと前記第３の器具視覚インジケータとの各々は、前記フットスイッチポートの対応する１つと前記複数の器具ポートとを取り囲む、前記外科用コンソールに結合された光放出器及びリング状光導波路を含んでいる、第３の器具視覚インジケータと、
コントローラであって、
前記第１のフットスイッチポート及び第２のフットスイッチポートの少なくとも１つを、前記第１の計器ポートと前記第２の計器ポートと前記第３の計器ポートとの少なくとも１つと関連付けて、前記第１のフットスイッチ及び前記第２のフットスイッチの少なくとも１つが、前記第１の器具ポートと前記第２の器具ポートと前記第３の器具ポートとの１つに接続された前記ハンドヘルド外科用器具の機能を作動させるように動作可能であり、
前記第３のフットスイッチ視覚インジケータ及び前記第４のフットスイッチ視覚インジケータのうちの前記関連する１つの前記光放出器を作動させ、
前記第１の器具視覚インジケータと前記第２の器具視覚インジケータと前記第３の器具視覚インジケータとのうちの前記関連する１つの前記光放出器を作動させ、
前記第１のフットスイッチ視覚インジケータ及び前記第２のフットスイッチ視覚インジケータのうちの前記動作可能な１つの前記光放出器を作動させて、互いに対応する出力を表示するように構成された、コントローラと
を備えてなる、コンソールベースの外科システム。
【請求項１９】
コンソールベースの外科システムを操作する方法であって、該コンソールベースの外科システムは、複数のハンドヘルド外科用器具と、コネクタラインを有する複数のハンドヘルド外科用器具のうちの少なくとも１つと、コネクタラインを有するフットスイッチと、フットスイッチ視覚インジケータを含むフットスイッチと、外科用コンソールであって、前記複数の器具ポートのうちの対応する１つを取り囲み、該外科用コンソールに結合された光放出器及びリング状光導波路を含む複数の器具ポートを含む、外科用コンソールと、複数の器具ポートに接続されている複数のハンドヘルド外科用器具のコネクタラインと、複数の器具ポートのうちの少なくとも１つに隣接する器具視覚インジケータとを備えており、前記外科用コンソールはフットスイッチポートをさらに含み、前記フットスイッチの前記コネクタラインがフットスイッチポートに接続されており、前記外科用コンソールはコントローラをさらに含み、
ユーザ入力デバイスを作動させて前記コントローラへのユーザ出力信号を生成し、前記コントローラに前記フットスイッチポートを、複数の器具ポートのうちの器具ポートに関連付けるようにするステップと、
前記フットスイッチが、前記関連付けられた器具ポートに接続された前記ハンドヘルド外科用器具の機能を作動するように動作可能であるように、前記フットスイッチポートを前記複数の器具ポートのうちの器具ポートに関連付けるステップと、
前記フットスイッチ視覚インジケータと関連付けられた器具ポートの器具視覚インジケータがそれぞれ互いに一致する色を発するように、前記フットスイッチ視覚インジケータと関連付けられた器具ポートの器具視覚インジケータを起動して、互いに対応する出力を表示するステップと
を含んでなる、コンソールベースの外科システムを操作する方法。 
【手続補正２】
【補正対象書類名】明細書
【補正対象項目名】００６４
【補正方法】変更
【補正の内容】
【００６４】
幾つかの実施形態は、上記説明において論述されてきた。しかしながら、本明細書において論述される実施形態は、網羅的であることを意図するものでもなければ、本開示をいずれかの特定の形態に限定することを意図するものでもない。用いられた術語は、限定の性質を有するものではなく、その語の説明的な性質を有するように意図されている。上記教示に鑑み、多くの変更及び変形が可能であり、本開示は、具体的に説明したものとは別の方法で実施することもできる。
なお、本願の出願当初の開示事項を維持するために、本願の出願当初の請求項１〜３３の記載内容を以下に追加する。
（請求項１）
複数のハンドヘルド外科用器具であって、各器具は、コネクタラインと、該器具及び該コネクタラインのうちの一方に結合される器具視覚インジケータとを有する、複数のハンドヘルド外科用器具と、
フットスイッチであって、コネクタラインと、該フットスイッチ及び該コネクタラインのうちの一方に結合されるフットスイッチ視覚インジケータとを有する、フットスイッチと、
コンソールと
を備えてなる、コンソールベースの外科システムであって、
前記コンソールは、
前記複数のハンドヘルド器具の前記コネクタラインが接続される複数の器具ポートと、
前記フットスイッチの前記コネクタラインが接続されるフットスイッチポートと、
前記フットスイッチポートを前記器具ポートのうちの１つに関連付けるように構成されたコントローラであって、前記フットスイッチが、前記関連付けられた器具ポートに接続された前記ハンドヘルド外科用器具の機能を作動させるように動作可能であるようになっている、コントローラと
を備えており、
前記コントローラは、前記関連付けられた器具ポート及び前記関連付けられたフットスイッチポートの前記フットスイッチ視覚インジケータ及び前記器具視覚インジケータを起動し、互いに符合する出力を表示するように更に構成されている、コンソールベースの外科システム。
（請求項２）
前記器具視覚インジケータ及び前記フットスイッチ視覚インジケータの各々は光放出器を備える、請求項１に記載のコンソールベースの外科システム。
（請求項３）
前記器具視覚インジケータ及び前記フットスイッチ視覚インジケータのうちの一方の前記光放出器は、リング状光導波路を備える、請求項２に記載のコンソールベースの外科システム。
（請求項４）
前記フットスイッチ視覚インジケータ及び前記器具視覚インジケータの前記光放出器は、前記フットスイッチ視覚インジケータ及び前記器具視覚インジケータが、互いに符合する出力を表示するとき、互いに一致する色を放出するように構成されている、請求項２又は３に記載のコンソールベースの外科システム。
（請求項５）
前記光放出器は、ＬＥＤ、光ファイバ、及びそれらの組み合わせのうちの少なくとも１つを備える、請求項２〜４のいずれか１項に記載のコンソールベースの外科システム。
（請求項６）
前記コントローラに結合され、前記フットスイッチポートと、関連付けられる前記器具ポートとの関連付けを前記コントローラに行わせるユーザ出力信号を出力するようにユーザによって作動可能であるユーザ入力デバイスを更に備える、請求項１〜５のいずれか１項に記載のコンソールベースの外科システム。
（請求項７）
第２のフットスイッチであって、コネクタラインと、該第２のフットスイッチ及び該コネクタラインのうちの一方に結合される第２のフットスイッチ視覚インジケータとを有する、第２のフットスイッチを更に備え、
前記コンソールは、前記第２のフットスイッチの前記コネクタラインが接続される第２のフットスイッチポートを更に備え、
前記コントローラは、前記第２のフットスイッチポートを前記関連付けられた器具ポートに関連付けるように更に構成され、前記第２のフットスイッチが、前記関連付けられた器具ポートに接続された前記ハンドヘルド外科用器具の前記機能を作動させるように動作可能であるようになっており、
前記コントローラは、前記第２のフットスイッチ視覚インジケータ及び前記関連付けられた器具ポートの前記器具視覚インジケータを起動し、互いに符合する出力を表示するように更に構成されている、請求項１〜６のいずれか１項に記載のコンソールベースの外科システム。
（請求項８）
前記フットスイッチポートに隣接する前記コンソールの部分に結合される第３のフットスイッチ視覚インジケータと、
前記第２のフットスイッチポートに隣接する前記コンソールの部分に結合される第４のフットスイッチ視覚インジケータと、
前記複数の器具ポートのうちの第１の器具ポートに隣接して前記コンソールに結合される第２の器具視覚インジケータと、
前記複数の器具ポートのうちの第２の器具ポートに隣接して前記コンソールに結合される第３の器具視覚インジケータと、
前記複数の器具ポートのうちの第３の器具ポートに隣接して前記コンソールに結合される第４の器具視覚インジケータと
を更に備え、
前記コントローラは、前記フットスイッチポート及び前記第２のフットスイッチポートのうちの少なくとも一方を、前記第１の器具ポート、前記第２の器具ポート、及び前記第３の器具ポートのうちの少なくとも１つに関連付けるように更に構成され、前記フットスイッチ及び前記第２のフットスイッチのうちの少なくとも一方が、前記第１の器具ポート、前記第２の器具ポート、及び前記第３の器具ポートのうちの１つに接続された前記ハンドヘルド外科用器具の前記機能を作動させるように動作可能であるようになっており、
前記コントローラは、前記第３のフットスイッチ視覚インジケータ、前記第４のフットスイッチ視覚インジケータ、前記第２の器具視覚インジケータ、及び前記第３の器具視覚インジケータを起動して、互いに符合する出力を表示するように更に構成されている、請求項７に記載のコンソールベースの外科システム。
（請求項９）
前記フットスイッチ視覚インジケータ、前記第２のフットスイッチ視覚インジケータ、前記第３のフットスイッチ視覚インジケータ、前記第４のフットスイッチ視覚インジケータ、前記器具視覚インジケータ、前記第２の器具視覚インジケータ、前記第３の器具視覚インジケータ、及び前記第４の器具視覚インジケータの各々は、光放出器を備える、請求項８に記載のコンソールベースの外科システム。
（請求項１０）
前記光放出器はリング状光導波路を備える、請求項９に記載のコンソールベースの外科システム。
（請求項１１）
前記フットスイッチ視覚インジケータ、前記器具視覚インジケータ、前記第２のフットスイッチ視覚インジケータ、前記第３のフットスイッチ視覚インジケータ、前記第４のフットスイッチ視覚インジケータ、前記第２の器具視覚インジケータ、及び前記第３の器具視覚インジケータが互いに符合する出力を表示するとき、前記光放出器は、互いに一致する色を放出するように構成されている、請求項９又は１０に記載のコンソールベースの外科システム。
（請求項１２）
前記フットスイッチ視覚インジケータ、前記第２のフットスイッチ視覚インジケータ、及び前記関連付けられた器具ポートの前記器具視覚インジケータが互いに符合する出力を表示するとき、前記フットスイッチ視覚インジケータの前記光放出器は、第１の有色光を放出するように構成され、前記第２のフットスイッチ視覚インジケータの前記光放出器は、第２の有色光を放出するように構成され、前記関連付けられた器具ポートの前記器具視覚インジケータの前記光放出器は、前記第１の有色光及び前記第２の有色光を放出するように構成されている、請求項９〜１１のいずれか１項に記載のコンソールベースの外科システム。
（請求項１３）
前記第３のフットスイッチ視覚インジケータ、前記第４のフットスイッチ視覚インジケータ、及び前記関連付けられた器具ポートの前記第２の器具視覚インジケータが互いに符合する出力を表示するとき、前記第３のフットスイッチ視覚インジケータの前記光放出器は、第１の有色光を放出するように構成され、前記第４のフットスイッチ視覚インジケータの前記光放出器は、第２の有色光を放出するように構成され、前記第１の器具ポートの前記第２の器具視覚インジケータの前記光放出器は、前記第１の有色光及び前記第２の有色光を放出するように構成されている、請求項９〜１１のいずれか１項に記載のコンソールベースの外科システム。
（請求項１４）
前記第１の器具ポート、前記第２の器具ポート、及び前記第３の器具ポートのうちの少なくとも１つの前記光放出器は、２つの光放出器部分を備え、該光放出器部分のうちの一方は、該光放出器部分の他方に隣接している、請求項９〜１３のいずれか１項に記載のコンソールベースの外科システム。
（請求項１５）
前記光放出器部分の各々は、複数の有色光を放出するように構成されたマルチカラー光放出器を含む、請求項１４に記載のコンソールベースの外科システム。
（請求項１６）
前記フットスイッチと、該フットスイッチに結合された前記コネクタラインとのうちの少なくとも一方に結合される入力視覚インジケータを更に備える、請求項１〜１５のいずれか１項に記載のコンソールベースの外科システム。
（請求項１７）
前記コントローラは、前記入力視覚インジケータ及び前記フットスイッチ視覚インジケータを起動して、互いに符合する出力を表示するように構成されている、請求項１６に記載のコンソールベースの外科システム。
（請求項１８）
前記ハンドヘルド外科用器具と、該ハンドヘルド外科用器具に結合された前記コネクタラインとのうちの少なくとも一方に結合される出力視覚インジケータを更に備える、請求項１〜１７のいずれか１項に記載のコンソールベースの外科システム。
（請求項１９）
前記コントローラは、前記出力視覚インジケータと、前記関連付けられた器具ポートの前記器具視覚インジケータとを起動して、互いに符合する出力を表示するように構成されている、請求項１８に記載のコンソールベースの外科システム。
（請求項２０）
コンソールベースの外科システムを作動させる方法であって、該コンソールベースの外科システムは、複数のハンドヘルド外科用器具であって、各器具は、コネクタラインと、該器具及び該コネクタラインのうちの一方に結合される器具視覚インジケータとを有する、複数のハンドヘルド外科用器具と、フットスイッチであって、コネクタラインと、該フットスイッチ及び該コネクタラインのうちの一方に結合されるフットスイッチ視覚インジケータとを有する、フットスイッチと、前記複数のハンドヘルド器具の前記コネクタラインが接続される複数の器具ポートを備えるコンソールとを備え、前記コンソールは、前記フットスイッチの前記コネクタラインが接続されるフットスイッチポートを更に備え、前記コンソールは、コントローラを更に備えており、
前記フットスイッチポートを前記器具ポートに関連付けるステップであって、前記フットスイッチが、該関連付けられた器具ポートに接続された前記ハンドヘルド外科用器具の機能を作動させるように動作可能であるようになっている、ステップと、
前記フットスイッチ視覚インジケータ及び前記関連付けられた器具ポートの前記器具視覚インジケータを起動して、互いに符合する出力を表示するステップと
を含んでなる方法。
（請求項２１）
色が互いに一致するように、前記フットスイッチ視覚インジケータ及び前記関連付けられた器具ポートの前記器具視覚インジケータから前記色を放出するステップを更に含む、請求項２０に記載の方法。
（請求項２２）
ユーザ入力デバイスを作動させて、前記フットスイッチポートと、関連付けられる前記器具ポートとの関連付けを前記コントローラに行わせる、前記コントローラへのユーザ出力信号を生成するステップを更に含む、請求項２０又は２１に記載の方法。
（請求項２３）
前記システムは、第２のフットスイッチであって、コネクタラインと、該第２のフットスイッチ及び該コネクタラインのうちの一方に結合される第２のフットスイッチ視覚インジケータとを有する第２のフットスイッチを更に備え、前記コンソールは、前記第２のフットスイッチの前記コネクタラインが接続される第２のフットスイッチポートを更に備えており、
前記第２のフットスイッチポートを前記関連付けられた器具ポートに関連付けるステップであって、前記第２のフットスイッチが、前記関連付けられた器具ポートに接続された前記ハンドヘルド外科用器具の第２の機能を作動させるように動作可能であるようになっている、ステップと、
前記フットスイッチ視覚インジケータ、前記第２のフットスイッチ視覚インジケータ、及び前記関連付けられた器具ポートの前記器具視覚インジケータを起動し、互いに符合する出力を表示するステップと
を含む、請求項２２に記載の方法。
（請求項２４）
前記ユーザ入力デバイスを作動させ、前記第２のフットスイッチポートを前記器具ポートに関連付ける第２のユーザ出力信号を生成するステップを更に含む、請求項２３に記載の方法。
（請求項２５）
色が互いに一致するように、前記フットスイッチ視覚インジケータ、前記第２のフットスイッチ視覚インジケータ、及び前記関連付けられた器具ポートの前記器具視覚インジケータから前記色を放出するステップを更に含む、請求項２３又は２４に記載の方法。
（請求項２６）
前記フットスイッチ視覚インジケータから第１の有色光を放出するステップと、
前記第２のフットスイッチ視覚インジケータから第２の有色光を放出するステップと、
前記関連付けられた器具ポートの前記器具視覚インジケータから前記第１の有色光及び前記第２の有色光を放出するステップと、
を更に含む、請求項２３〜２５のいずれか１項に記載の方法。
（請求項２７）
前記コンソールの前記フットスイッチポートに隣接して前記コンソールに結合された第２のフットスイッチ視覚インジケータを起動するステップと、
前記コンソールの前記器具ポートのうちの１つに隣接して前記コンソールに結合された第２の器具視覚インジケータを起動するステップと
を更に含む、請求項２０〜２６のいずれか１項に記載の方法。
（請求項２８）
複数のハンドヘルド外科用器具であって、該器具の各々はコネクタラインを有する、複数のハンドヘルド外科用器具と、
コネクタラインを有するフットスイッチと、
コンソールと
を備えてなる、コンソールベースの外科システムであって、
前記コンソールは、
前記複数のハンドヘルド器具の前記コネクタラインが接続される複数の器具ポートであって、該器具ポートの各々は、器具視覚インジケータを有する、複数の器具ポートと、
フットスイッチ視覚インジケータを有し、前記フットスイッチの前記コネクタラインが接続されるフットスイッチポートと、
前記フットスイッチポートを前記器具ポートのうちの１つに関連付けるように構成されたコントローラであって、前記フットスイッチが、前記関連付けられた器具ポートに接続された前記ハンドヘルド外科用器具の機能を作動させるように動作可能であるようになっている、コントローラと
を備えており、
前記コントローラは、前記関連付けられた器具ポート及び前記関連付けられたフットスイッチポートの前記フットスイッチ視覚インジケータ及び前記器具視覚インジケータを起動し、互いに符合する出力を表示するように更に構成され、
前記フットスイッチ視覚インジケータ及び前記器具視覚インジケータの各々は、光放出器を備え、該光放出器の各々及びリング状光導波路は、前記コンソールに結合され、前記フットスイッチポート及び前記器具ポートのうちの対応するものを取り囲む、コンソールベースの外科システム。
（請求項２９）
前記コントローラが、前記フットスイッチポートを前記関連付けられる器具ポートに関連付け、前記フットスイッチが前記関連付けられた器具ポートに接続された前記ハンドヘルド外科用器具の機能を作動させるように動作可能であるようになると、前記コントローラは、前記器具視覚インジケータのうちの１つの前記光放出器を起動し、前記フットスイッチ視覚インジケータによって放出される有色光と一致する有色光を放出する、請求項２８に記載のコンソールベースの外科システム。
（請求項３０）
前記コントローラは、白色光を放出する前記器具視覚インジケータのうちの別のものの前記光放出器を起動し、前記器具ポートが前記フットスイッチポートに関連付けられていないことを示す、請求項２９に記載のコンソールベースの外科システム。
（請求項３１）
前記リング状光導波路の各々は、前記対応するフットスイッチポート及び前記器具ポートの対向する側部に２つの弓形の光放出器部分を備える、請求項２８に記載のコンソールベースの外科システム。
（請求項３２）
前記弓形の光放出器部分の各々は、１８０度に角度のある状態で延在する、請求項３１に記載のコンソールベースの外科システム。
（請求項３３）
前記光放出器のうちの少なくとも１つは、複数の色を放出するように構成されたマルチカラー光放出器である、請求項３１に記載のコンソールベースの外科システム。